(57)【要約】【課題】太陽光を遮蔽する目的や太陽光の採光量を調整する目的で設けられた柔軟性を有する素材で構成する部分に軽量型太陽電池モジュールを簡単に取り付けることが可能な軽量型太陽電池の取付け構造を提供することを目的とする。【解決手段】キャンバス材１３等の柔軟性を有する素材を基材とする部分の表面に太陽光が透過するネットカバー１４からなる袋状の太陽電池モジュール収納部１６を設け、該太陽電池モジュール収納部１６に軽量型太陽電池モジュール２０を収納する。【選択図】　　　図２
2004036098.tif 000002
【特許請求の範囲】
【請求項１】
柔軟性のある素材を基材とする部分の表面に太陽光が透過する袋状の太陽電池モジュール収納部を設け、該太陽電池モジュール収納部に軽量型太陽電池モジュールを収納することを特徴とする軽量型太陽電池の取付け構造。
【請求項２】
請求項１に記載の軽量型太陽電池の取付け構造において、
前記太陽電池モジュール収納部は、背面が前記太陽電池モジュールを保持する強度を有する布地又は高分子シートであり、前面には太陽電池セルの発電面への太陽光が透過する高分子素材の繊維又は透明な繊維を用いた網により形成したことを特徴とする軽量型太陽電池の取付け構造。
【請求項３】
請求項１又は２に記載の軽量型太陽電池の取付け構造において、
前記太陽電池モジュール収納部は、前記太陽電池モジュール１個に対して１個が対応し、且つ該太陽電池モジュールを容易に差し込むことが可能な寸法を有することを特徴とする軽量型太陽電池の取付け構造。
【請求項４】
請求項１乃至３のいずれか１項に記載の軽量型太陽電池の取付け構造において、
前記太陽電池モジュール収納部の前記太陽電池モジュールを差し込む差込口部にジッパー又はマジックテープ（登録商標）等の開閉治具を設け、該差込口部を開閉自在に構成したことを特徴とする軽量型太陽電池の取付け構造。
【発明の詳細な説明】
【０００１】
【発明の属する技術分野】
本発明は軽量型太陽電池の取付け構造に関し、特にキャンバス素材等柔軟性を有する基材とする部分に、例えば合成樹脂にてサンドイッチ構造とした太陽電池セルを有する軽量型太陽電池モジュールを取り付けるのに好適な軽量型太陽電池の取付け構造に関するものである。
【０００２】
【従来の技術】
一般に太陽電池の発電素子は、シリコン素材等の脆性材料で構成されているため、曲げに弱いことから、キャンバス素材のような柔軟材料に設置することができなかった。この為、簡易倉庫のように大型の物では、屋根材であるキャンバス地には直接太陽電池を取り付けず、内部構造体に梁を渡す等して太陽電池を取り付けていた。
【０００３】
シリコン等の発電素子を合成樹脂等によりサンドイッチ状にした構造の太陽電池セルを有する太陽電池は軽量であるため、極小のものは、キャンバス素材や高分子シート等の柔軟性のある素材に接着剤で接着するなどして取り付けることがある。しかし、太陽電池部とキャンバス素材や高分子シート等では，熱膨張率が異なる為、キャンバス素材等も引っ張られたり、弛みができたりして、キャンバス素材の早期破損（破れ等）が発生する。また、弛みなどは美観的にも好ましいものではない。
【０００４】
上記従来の技術による太陽電池の取付け方法では、太陽電池が簡単に取り外すことができないため、固定設置するとか、テントのような場合には、テント部材に取り付けたまま収納・格納することになっていた。このため、移設等が容易にできないと共に、テント部材に取り付けたまま収納する場合には、太陽電池を傷つけたり破損させることがあった。
【０００５】
上記のように柔軟性を有する基材部分に効果的に太陽電池を取り付ける方法がなかったため、キャンバス素材等を用いた集会用テント（イベント用、学校用等）、大型野営用テント等の屋根部分や屋根覆い（フライングシート）、災害対策用テント（通信機器の電源、医療用薬品保存等の冷蔵庫電源、簡易扇風機等の電源に使用）、キャンバス素材を用いた簡易倉庫等の屋根部若しくは側面部、園芸用や農業用の高分子シート（フィルム）を用いた温室（ビニールハウス）の屋根もしくは側部、太陽光の採光量を制御する必要がある農業用温室等の内部に設置される遮蔽膜部や漁業用養殖池等の天蓋膜部等の太陽光を遮蔽する目的や太陽光の採光量を調整する目的で設けられた柔軟性を有する素材で構成する部分に軽量型太陽電池モジュールを簡単に取り付け、これらの部分に照射される太陽光を電力に変換し、利用することができなかった。
【０００６】
【発明が解決しようとする課題】
本発明は上述の点に鑑みてなされたもので、太陽光を遮蔽する目的や太陽光の採光量を調整する目的で設けられた柔軟性を有する素材で構成する部分に軽量型太陽電池モジュールを簡単に取り付け、これらの部分に照射される太陽光を電力に変換し、自身で使用する電力を賄うとともに、余剰分を電力供給会社へ連系変電することにより、電力の平準化の促進を図ることが可能な軽量型太陽電池の取付け構造を提供することを目的とする。
【０００７】
【課題を解決するための手段】
上記課題を解決するため請求項１に記載の発明は、柔軟性のある素材を基材とする部分の表面に太陽光が透過する袋状の太陽電池モジュール収納部を設け、該太陽電池モジュール収納部に、軽量型太陽電池モジュールを収納することを特徴とする軽量型太陽電池の取付け構造にある。
【０００８】
上記のように、柔軟性のある素材を基材とする部分の表面に太陽光が透過する袋状の太陽電池モジュール収納部を設け、該太陽電池モジュール収納部に、例えば合成樹脂にてサンドイッチ構造とした太陽電池セルを有する軽量型太陽電池モジュールを収納することにより、該サンドイッチ構造の太陽電池セルを有する太陽電池モジュールは従来の太陽電池モジュールに比較して軽量化されているため、柔軟性のある素材を基材とする部分の材料に負担をかけることなく、素材の破損や太陽電池の破損等を防止することが可能となる。
【０００９】
また、太陽電池モジュール収納部は袋状となっているため、太陽電池モジュールを収納して取り付けた場合、それぞれの素材の熱膨張による寸法変化にも対応でき、柔軟性素材の破損や、美的に好ましくない弛みの発生を防止することが可能となる。例えば、集会用テントや大型野営用テント等、設置、収納等の作業を頻繁に行うものにおいても、太陽電池モジュールを取り外し別々に格納することにより、太陽電池等の破損を防止することができる。
【００１０】
請求項２に記載の発明は、請求項１に記載の軽量型太陽電池の取付け構造において、太陽電池モジュール収納部は、背面が太陽電池モジュールを保持する強度を有する布地又は高分子シートであり、前面には太陽電池セルの発電面への太陽光が透過する高分子素材の繊維又は透明な繊維を用いた網により形成したことを特徴とする。
【００１１】
上記のように背面の素材に太陽電池モジュールを保持する強度を有する布地又は高分子シートを用い、前面には太陽電池の発電面に太陽光が透過する高分子素材の繊維又は透明な繊維を用いた網により太陽電池モジュール収納部を形成したので、太陽電池モジュールを確実に保持し、且つ太陽電池セルの発電面へ到達する太陽光の照射量も減少させることもない。また、太陽電池モジュールを密閉した袋状の収納部に収納すると内部の温度変化により収納部内や太陽電池表面に結露が生じ、これによって太陽光が妨げられたり、太陽電池の性能を損うことがあるが、ここでは収納部の前面を太陽光が透過する高分子素材の繊維又は透明な繊維を用いた網により形成しているので、太陽光が妨げられることなく、湿気等が篭らないため、太陽電池表面も含め結露することがない。
【００１２】
請求項３に記載の発明は、請求項１又は２に記載の軽量型太陽電池の取付け構造において、太陽電池モジュール収納部は、太陽電池モジュール１個に対して１個が対応し、且つ該太陽電池モジュールを容易に差し込むことが可能な寸法を有することを特徴とする。
【００１３】
上記のように太陽電池モジュール収納部は、太陽電池モジュール１個に対して１個が対応し、且つ該太陽電池モジュールを容易に差し込むことが可能な寸法としたので、太陽電池モジュールの出し入れが容易で、組立て作業等が容易となる。
【００１４】
請求項４に記載の発明は、請求項１乃至３のいずれか１項に記載の軽量型太陽電池の取付け構造において、太陽電池モジュール収納部の太陽電池モジュールを差し込む差込口部にジッパー又はマジックテープ（登録商標）等の開閉治具を設け、該差込口部を開閉自在に構成したことを特徴とする。
【００１５】
上記のように太陽電池モジュール収納部の太陽電池モジュールの差込口部にジッパー又はマジックテープ（登録商標）等の開閉治具を設け、該差込口部を開閉自在に構成したことにより、太陽電池モジュールの取り付け取り外しが容易になると共に、差し込んだ太陽電池モジュールの封止も確実となる。
【００１６】
【発明の実施の形態】
以下、本発明の実施の形態例を図面に基づいて説明する。図１は本発明に係る取付け構造を用いて集会用テントの屋根部に軽量型太陽電池モジュールを取り付けた例を示す図であり、図２は取付け構造の一部の平面図、図３は取付け構造の一部の斜視図である。図示するように、集会用テント１０はテントフレーム１１を複数本の支柱１２で支持した構成であり、該テントフレーム１１にキャンバス材１３を張って屋根部を形成している。
【００１７】
上記屋根部のキャンバス材１３の上面にネット（網）カバー１４を載置し、該ネットカバー１４とキャンバス材１３を直線状のネット縫製個所１５を形成し縫い合わせて、キャンバス材１３上面にネットカバー１４からなる矩形の袋状の太陽電池モジュール収納部１６を設けている。該太陽電池モジュール収納部１６には、後述する太陽電池モジュール２０を内部に収納するための差込口１７が設けられ、該差込口１７にはジッパー又はマジックテープ（登録商標）等の開閉治具１８を設けて開閉自在としている。即ち、このジッパー又はマジックテープ（登録商標）等の開閉治具１８を開き、太陽電池モジュール２０を太陽電池モジュール収納部１６に収納し、該開閉治具１８を閉じることにより、太陽電池モジュール２０は太陽電池モジュール収納部１６内に封止される。
【００１８】
太陽電池モジュール２０は、図４に示すように、例えば樹脂材板からなる軽い基台２１の上面に複数の太陽電池セル２２を配列し、表面材２５（図５参照）として太陽光の透過性のよい合成樹脂材でサンドイッチ状に固定した構成で、基台２１若しくは表面材には各太陽電池セル２２で発電した電力を集めるための集電用端子２３が設けられている。太陽電池モジュール２０はこのように、シリコン等からなる太陽電池セル２２を合成樹脂材でサンドイッチ状にしたものであるため、従来の太陽電池セルをガラス材等で覆ったものに比較し、極めて軽い構成のものである。図５は太陽電池モジュール収納部１６内に太陽電池モジュール２０を収納した状態を示す断面図である。なお、太陽電池モジュール２０の太陽電池セル２２の枚数には多いもの少ないものの種々があり、太陽電池モジュール収納部１６の大きさは、使用する太陽電池モジュール２０の大きさにより設定する。
【００１９】
上記のように集会用テント１０の屋根部のキャンバス材１３の上面に設けたネットカバー１４からなる多数の太陽電池モジュール収納部１６に、その差込口１７に設けたジッパー又はマジックテープ（登録商標）等の開閉治具１８を開き、太陽電池モジュール２０を太陽電池モジュール収納部１６に差し込み収納し、該開閉治具１８を閉じることにより、多数の太陽電池モジュール２０を集会用テント１０の屋根部に取り付け、集会用テント１０の屋根部を多数の軽量型太陽電池モジュール２０による発電場とする。
【００２０】
上記のように太陽電池モジュール２０は、太陽電池セル２２を合成樹脂材からなる基台２１と太陽光の透過性のよい合成樹脂材からなる表面材２５でサンドイッチ状にしたもので極めて軽量であり、従来の表面をガラス板で覆った太陽電池モジュールに比較して軽量化されている。このため、集会用テント１０の屋根部のキャンバス材１３に負担をかけることなく、キャンバス材１３の破損や太陽電池モジュール２０の破損等を防止することが可能となる。
【００２１】
また、太陽電池モジュール収納部１６は袋状となっているため、太陽電池モジュール２０を差し込んで収納した場合、それぞれの素材の熱膨張による寸法変化にも対応でき、キャンバス材１３の破損や、美的に好ましくない弛みを防止することが可能となる。集会用テント１０は、設置、収納等の作業を頻繁に行うものであるから、収納に際しては、太陽電池モジュール２０をキャンバス材１３から引き抜き、集会用テント１０と太陽電池モジュール２０を別々に収納・格納することが容易となる。これにより、太陽電池モジュール２０等の破損を防止することができる。
【００２２】
また、太陽電池モジュール収納部１６は、背面が太陽電池モジュール２０を保持する強度を有するキャンバス材１３、前面が太陽電池セル２２の発電面に太陽光が透過する高分子素材の繊維又は透明な繊維を用いた網からなるネットカバーとなっているので、太陽電池モジュール２０を確実に保持し、且つ太陽電池の発電面に到達する太陽光の照射量も減少させないことが可能となる。
【００２３】
また、太陽電池モジュール２０を密閉した袋状の収納部に収納すると収納部内の温度変化により、収納部内や太陽電池モジュール２０の表面に結露が生じ、これによって太陽光が妨げられたり、太陽電池セル２２の性能を損うことがあるが、ここでは太陽電池モジュール収納部１６の前面に位置するネットカバー１４を太陽光が透過する高分子素材の繊維又は透明な繊維を用いた網により形成しているので、太陽光の透過が妨げられることなく、湿気等が篭らないため、太陽電池モジュール２０の表面も含め結露することがない。
【００２４】
太陽電池モジュール収納部１６の幅寸法は、太陽電池モジュール２０の幅寸法に対して該太陽電池モジュール２０を容易に差し込める寸法（例えば、太陽電池モジュール２０の幅寸法１１５ｍｍに対して、太陽電池モジュール収納部１６の幅寸法１２５〜１３５ｍｍ）とする。これにより、太陽電池モジュール２０の出し入れが容易で、集会用テント１０の屋根部を太陽電池による発電場とすることが容易となる。
【００２５】
太陽電池モジュール収納部１６の表面には、太陽電池モジュール２０の集電用端子２３に接続された配線ケーブル２４を取り出すケーブル孔（図示せず）を設ける。これにより各太陽電池モジュール２０で発電された電力を配送するための配線ケーブル２４の配線が容易となる。
【００２６】
太陽電池モジュール収納部１６の配置は、背面素材であるキャンバス材１３の形状により任意設定する。これにより、太陽電池モジュール２０をキャンバス材１３の形状に適するように縦配置又は横配置等任意に配置して取り付けることが可能となる。
【００２７】
なお、上記実施形態例は集会用テント１０の屋根部のキャンバス材１３に太陽電池モジュール２０を取り付ける例を示したが，本願発明に係る軽量型太陽電池の取付け構造はこれに限定されるものではなく、例えば大型野営用テント等の屋根部分や屋根覆い（フライングシート）、災害対策用テント、キャンバス素材を用いた簡易倉庫等の屋根部若しくは側面部、園芸用や農業用の高分子シート（フィルム）を用いた温室（ビニールハウス）の屋根もしくは側部、太陽光の採光量を制御する必要がある農業用温室等の内部に設置される遮蔽膜部や漁業用養殖池等の天蓋膜部等の太陽光を遮蔽する目的や太陽光の採光量を調整する目的で設けられた柔軟性を有する素材で構成する部分に利用することができる。
【００２８】
また、上記例では軽量型太陽電池モジュールとして、太陽光の透過性のよい合成樹脂材でサンドイッチ状にした太陽電池セルを複数枚配置した構成のものを用いる例を説明したが、軽量型太陽電池モジュールはこれに限定されるものではなく、表面をガラス板で覆った従来構成の太陽電池モジュールより軽量なものであればよい。
【００２９】
【発明の効果】
以上説明したように各請求項に記載の発明によれば、下記のような優れた効果が得られる。
【００３０】
請求項１に記載の発明によれば、柔軟性のある素材を基材とする部分の表面に設けた太陽光が透過する袋状の太陽電池モジュール収納部に軽量型太陽電池モジュールを収納することにより、柔軟性のある素材を基材とする部分の材料に負担をかけることなく、素材の破損や太陽電池の破損等を防止することが可能となる。
【００３１】
また、太陽電池モジュール収納部は袋状となっているため、太陽電池モジュールを差し込んで取り付けた場合、それぞれの素材の熱膨張による寸法変化にも対応でき、柔軟性素材の破損や、美的に好ましくない弛みを防止することが可能となる。
【００３２】
請求項２に記載の発明によれば、太陽電池モジュール収納部を背面の素材に太陽電池モジュールを保持する強度を有する布地又は高分子シートを用い、前面には太陽電池の発電面に太陽光が透過する高分子素材の繊維又は透明な繊維を用いた網により形成したので、太陽電池モジュールを確実に保持し、且つ太陽電池の発電面に到達する太陽光の照射量も減少することがない。
【００３３】
また、太陽電池モジュール収納部の前面を太陽光が透過する高分子素材の繊維又は透明な繊維を用いた網により形成しているので、湿気等が篭らないため、太陽電池表面も含め結露することがない。
【００３４】
請求項３に記載の発明によれば、太陽電池モジュール収納部は、太陽電池モジュール１個に対して１個が対応し、且つ該太陽電池モジュールを容易に差し込むことが可能な寸法としたので、太陽電池モジュールの出し入れが容易で、組立て作業等が容易となる。
【００３５】
請求項４に記載の発明によれば、太陽電池モジュール収納部の太陽電池モジュールの差し込み部分をジッパー又はマジックテープ（登録商標）等の開閉治具で開閉自在にしたことにより、太陽電池モジュールの取り付け取り外しが容易になると共に、差し込んだ太陽電池モジュールの封止も確実となる。
【図面の簡単な説明】
【図１】本発明に係る軽量型太陽電池の取付け構造を用いた集会用テントの例を示す図である。
【図２】本発明に係る軽量型太陽電池の取付け構造の一部の平面図である。
【図３】本発明に係る軽量型太陽電池の取付け構造の一部の斜視図である。
【図４】軽量型の太陽電池モジュールの構成例を示す平面図である。
【図５】本発明に係る軽量型太陽電池の取付け構造の一部の断面図である。
【符号の説明】
１０　　　　　　集会用テント
１１　　　　　　テントフレーム
１２　　　　　　支柱
１３　　　　　　キャンバス材
１４　　　　　　ネットカバー
１５　　　　　　ネット縫製個所
１６　　　　　　太陽電池モジュール収納部
１７　　　　　　差込口
１８　　　　　　開閉治具
２０　　　　　　太陽電池モジュール
２１　　　　　　基台（合成樹脂）
２２　　　　　　太陽電池セル
２３　　　　　　集電用端子
２４　　　　　　配線ケーブル
２５　　　　　　表面材（合成樹脂）
【図１】
2004036098.tif 000003
【図２】
2004036098.tif 000004
【図３】
2004036098.tif 000005
【図４】
2004036098.tif 000006
【図５】
2004036098.tif 000007